(57)【要約】【課題】広告宣伝に関する機能を必要な範囲に留めつつも、低コストに製作することが可能なＰＯＰ広告用電駆看板を提供すること。【解決手段】支持フレーム（３）には、光を用いた広告動作を行うための発光電気部品と、広告動作に関するオンオフや調整のための操作を行うための操作用電気部品と、が保持されており、看板本体（２）には、発光電気部品から発せられる光を外部に放出するための光放出用開口と、操作用電気部品の操作子を外部に露出させるための操作子露出用開口とが設けられている。【選択図】図２
2017194683.tif 000002
【特許請求の範囲】
【請求項１】
表面に広告対象となる情報が描かれた所定展開形状のシートを折り曲げて箱状に形成してなるＰＯＰ広告用の看板本体と、
前記看板本体をその内側から支持して当該看板本体に対して剛性を付与する樹脂製の支持フレームとからなり、
前記支持フレームには、
光を用いた広告動作を行うための発光電気部品と、前記広告動作に関するオンオフや調整のための操作を行うための操作用電気部品と、が保持されており、
前記看板本体には、
前記発光電気部品から発せられる光を外部に放出するための光放出用開口と、前記操作用電気部品の操作子を外部に露出させるための操作子露出用開口とが設けられている、ＰＯＰ広告用電駆看板。
【請求項２】
前記操作用電気部品が、所望の電気的作用をなす本体部と前記本体部を電気的に作用せしめる棒状操作子とを有するパネル取付タイプの操作用電気部品であり、
前記支持フレームには、
前記看板本体の操作子露出用開口に臨み、かつ取付用パネルとして機能するパネル部と、前記パネル部に隣接して前記操作用電気部品の本体部を収容する凹部とが設けられている、請求項１に記載のＰＯＰ広告用電駆看板。
【請求項３】
前記パネル部には、前記操作用電気部品の棒状操作子を挿通するための切り込み溝付きの取付孔が設けられている、請求項２に記載のＰＯＰ広告用電駆看板。
【請求項４】
前記発光電気部品が、前記光放出用開口に臨みかつ通電により発光する面状発光体を有し、かつ前記面状発光体の前面側には、広告対象となる情報が描かれた光透過性シートが対向保持されている、請求項１に記載のＰＯＰ広告用電駆看板。
【請求項５】
前記面状発光体の前面側には、前記光透過性シートをスライド自在に対向保持する透明なポケットが設けられている、請求項４に記載のＰＯＰ広告用電駆看板。
【請求項６】
前記発光電気部品が、前記光放出用開口に臨みかつ通電により発光する面状発光体を有し、かつ前記面状発光体の前面側には、前記光放出用開口から断面湾曲状に膨出する透明な裏当て台が設けられ、前記光透過性シートは前記裏当て台に沿わせて湾曲状に曲げられた状態で前記面状発光体の前面側に対向保持されている、請求項１に記載のＰＯＰ広告用電駆看板。
【請求項７】
前記発光電気部品は、前記光放出用開口に臨みかつ通電により発光する複数の面状発光体を連結してなり、
前記面状発光体の前面側には、前記複数の面状発光体に跨るように延在し、かつ前記光放出用開口から断面湾曲状に膨出する透明な裏当て台が設けられ、
前記光透過性シートは、前記裏当て台に沿わせて湾曲状に曲げられた状態で前記面状発光体の前面側に対向保持されている、請求項１に記載の電駆看板。  
【請求項８】
表面に広告対象となる情報が描かれた所定展開形状のシートを折り曲げて箱状に形成してなるＰＯＰ広告用の看板本体をその内側から支持して当該看板本体に対して剛性を付与する樹脂成型品であって、
電源となる電池を保持する電池保持ブロックと、
広告動作を行うための電気部品を保持する広告用部品保持ブロックとを有し、
前記電池保持ブロックと前記広告用部品保持ブロックとは、着脱可能な結合機構を介して連結され、さらに、
電池保持ブロックには、前記広告動作に関するオンオフや調整のための操作を行うための操作用電気部品が保持されている、ＰＯＰ広告用電駆看板の支持フレーム。
【請求項９】
前記広告用部品保持ブロックは、
前記看板本体に設けられる光放出用開口に臨みかつ通電により発光する面状発光体を有する発光部品保持ブロックである、請求項８に記載のＰＯＰ広告用電駆看板の支持フレーム。
【請求項１０】
前記広告用部品保持ブロックは、
光を用いた広告動作を行うための発光電気部品を保持する発光部品保持ブロックと、
音を用いた広告動作を行うための発音電気部品を保持する発音部品保持ブロックとを有し、
前記発光部品保持ブロックと前記発音部品保持ブロックとは、着脱可能な結合機構を介して連結されている、請求項８に記載のＰＯＰ広告用電駆看板の支持フレーム。
【請求項１１】
前記発光部品保持ブロックとして、
前記看板本体の光放出用開口に臨みかつ通電により発光する面状発光体を有し、かつ前記面状発光体の前面側には、表面に広告対象となる情報が描かれた光透過性シートが対向保持されている第１の種類の発光部品保持ブロックと、
前記看板本体の光放出用開口に臨みかつ通電により発光する１又は２以上の点状発光体を有する第２の種類の発光部品保持ブロックとが、選択可能に用意されている、請求項１０に記載のＰＯＰ広告用電駆看板の支持フレーム。
【請求項１２】
前記操作用電気部品が、所望の電気的作用をなす本体部と前記本体部を電気的に作用せしめる棒状操作子とを有するパネル取付タイプの操作用電気部品であり、
前記看板本体は、正面視矩形かつ所定の奥行きを有する箱状であって、その長手方向の一端面は開閉可能とされ、かつ他端面には前記棒状操作子を突出させるための操作子挿通孔が設けられており、
前記電池保持用ブロック、前記発光部品保持ブロック、及び発音部品保持ブロックを順に連結してなる支持フレーム組立体は、正面視矩形かつ所定の厚みを有し、かつ前記看板本体より一回りサイズの小さい相似形状を有し、さらに
前記電池保持用ブロックの前記発光部品保持ブロックと反対側の端部には、取付用パネルとして機能するパネル部と、前記パネル部と隣接して、前記本体部を収容するための凹部とが設けられ、前記パネル部には、前記棒状操作子を挿通するための切り込み溝付きの取付孔が設けられている、請求項１０に記載のＰＯＰ広告用電駆看板の支持フレーム。
【発明の詳細な説明】
【技術分野】
【０００１】
この発明は、商品陳列棚等に取り付けて使用されるＰＯＰ広告用電駆看板に関する。
【背景技術】
【０００２】
スーパーマーケットやコンビニエンスストア等の販売店において、陳列棚に並べられた様々な商品の中で、特定の商品だけをある期間に限って集中的に販売促進する等の用途のためには、小型ディスプレイデバイスやスピーカを看板本体に組み込むことで、当該商品に関する情報を音と動画を用いて広告宣伝するようにしたＰＯＰ広告用電駆看板が、従来より知られている（例えば、特許文献１参照）。
【先行技術文献】
【特許文献】
【０００３】
【特許文献１】特開２００１−０５１６３５号公報
【発明の概要】
【発明が解決しようとする課題】
【０００４】
上述した従来のＰＯＰ広告用電駆看板によれば、商品に関する情報を音と動画を用いて広告宣伝できることから、高い宣伝効果が期待できる反面、使用部品（例えば、小型ディスプレイデバイスやその周辺回路並びにソフトウェア）の低コスト化が難しく、結果、広く一般に普及するには至っていない。
【０００５】
この発明は、上述の技術的背景に鑑みてなされたものであり、その目的とするところは、広告宣伝に関する機能を必要な範囲に確保した上で、低コストに製作することが可能なＰＯＰ広告用電駆看板を提供することにある。
【０００６】
この発明のさらに他の目的並びに作用効果については、明細書の以下の記述を参照することにより、当業者であれば容易に理解されるであろう。
【課題を解決するための手段】
【０００７】
上述の解決課題は、以下の構成を有するＰＯＰ広告用電駆看板並びに支持フレームにより、解決することできるものと考えられる。
【０００８】
すなわち、本発明のＰＯＰ広告用電駆看板は、
表面に広告対象となる情報が描かれた所定展開形状のシートを折り曲げて箱状に形成してなるＰＯＰ広告用の看板本体と、
前記看板本体をその内側から支持して当該看板本体に対して剛性を付与する樹脂製の支持フレームとからなり、
前記支持フレームには、
光を用いた広告動作を行うための発光電気部品と、前記広告動作に関するオンオフや調整のための操作を行うための操作用電気部品と、が保持されており、
前記看板本体には、
前記発光電気部品から発せられる光を外部に放出するための光放出用開口と、前記操作用電気部品の操作子を外部に露出させるための操作子露出用開口とが設けられている。
【０００９】
このような構成によれば、ＰＯＰ広告用の看板本体は、表面に広告対象となる情報が描かれた所定展開形状のシート（例えば、紙製シート）を折り曲げて箱状に形成してなるものであるから、印刷技術を使用して大量生産することで、低コストに製作することができると共に、その内側から樹脂製の支持フレームで支持することで剛性が付与されることから、看板本体の素材には印刷適正に優れた薄手のシート材を使用することができ、さらに、広告宣伝機能を発揮する発光電気部品（例えば、ＬＥＤ光源と導光板使用の面状発光体やＬＥＤ使用のランプ等々）は支持フレーム側に予め保持されていることから、看板本体の内部に支持フレームを装着するだけで直ちに作動が可能となり、加えて、広告動作に関するオンオフや調整のための操作を行うための操作用電気部品（例えば、スイッチや可変抵抗器等々）についても、比較的に強度の低い看板本体側ではなくて、剛性の高い支持フレーム側に保持されると共に、その操作子は看板本体の外部に露出するものであるから、看板本体内部に存在する操作用電気部品を看板本体の外部から確実に操作することできる。
【００１０】
本発明の好ましい実施の態様においては、
前記操作用電気部品が、所望の電気的作用をなす本体部と前記本体部を電気的に作用せしめる棒状操作子とを有するパネル取付タイプの操作用電気部品であり、
前記支持フレームには、
前記看板本体の操作子露出用開口に臨み、かつ取付用パネルとして機能するパネル部と、前記パネル部に隣接して前記操作用電気部品の本体部を収容する凹部とが設けられている、ものであってもよい。
【００１１】
このような構成によれば、操作用電気部品が、所望の電気的作用をなす本体部と前記本体部を電気的に作用せしめる棒状操作子とを有するパネル取付タイプの操作用電気部品（例えば、棒状操作子を有する回転型の可変抵抗器（ボリューム）、回転型の可変コンデンサ、オルタネート型の押しボタンスイッチ等々）である場合には、ワッシャとナットを使用した通常の取付方法により、当該操作用電気部品を支持フレームにしっかりと取り付けることができる。このとき、パネル部に、操作用電気部品の棒状操作子を挿通するための切り込み溝付きの取付孔が予め設けられていれば、孔明けなど面倒な作業を省略して、取付孔をそのまま利用して直ちに操作用電機部品を支持フレームに取り付けることが可能となる。
【００１２】
本発明の好ましい実施の態様においては、
前記発光電気部品が、前記光放出用開口に臨みかつ通電により発光する面状発光体を有し、かつ前記面状発光体の前面側には、表面に広告対象となる情報が描かれた光透過性シートが対向保持されている、ものであってもよい。
【００１３】
このような構成によれば、看板本体の表面は、光放出用開口の存在する部分と光放出用開口の存在しない部分とに二分されるから、光放出用開口の存在しない部分については、印刷により描かれた広告情報を通じて所望の宣伝広告機能を果たす一方、光放出用開口の存在する部分については、その前面側に光透過性シートを対向保持してこれを背後から面状発光体で照明することにより、光透過性シートに描かれた広告情報を際立たせ、所望の宣伝広告機能をより効果的に果たすことができる。このとき、前記面状発光体の前面側に、前記光透過性シートをスライド自在に対向保持する透明なポケットが設けられていれば、光透過性シートを交換するだけで、広告情報を様々に変更することができる。
【００１４】
本発明の好ましい実施の態様においては、
前記発光電気部品が、前記光放出用開口に臨みかつ通電により発光する面状発光体を有し、かつ前記面状発光体の前面側には、前記光放出用開口から断面湾曲状に膨出する透明な裏当て台が設けられ、前記光透過性シートは前記裏当て台に沿わせて湾曲状に曲げられた状態で前記面状発光体の前面側に対向保持されている、ものであってもよい。
このような構成によれば、表面に広告情報が描かれた光透過性シートは、湾曲状に曲げられた状態で面状発光体の前面側に対向保持されるものであるから、顧客は、看板の正面のみならず、左右の斜め前方からでも、広告情報を視認することができ、その分だけ広告効果が向上する。
【００１５】
本発明の好ましい実施の態様においては、前記発光電気部品は、前記光放出用開口に臨みかつ通電により発光する複数の面状発光体を連結してなり、前記面状発光体の前面側には、前記複数の面状発光体に跨るように延在し、かつ前記光放出用開口から断面湾曲状に膨出する透明な裏当て台が設けられ、前記光透過性シートは、前記裏当て台に沿わせて湾曲状に曲げられた状態で前記面状発光体の前面側に対向保持されている、ものであってもよい。
【００１６】
このような構成によれば、面状発光体同士の間に、連結部等に起因する物理的な隙間又は暗部が存在する場合であっても、その連結部または暗部の前方付近においては各発光体から放射状に放出された光が足し合わされるので、光透過性シートをその背後からムラなく照明することができる。これにより定形幅の面状発光体を使用しつつも、幅広な湾曲看板を構成することで、高度な視認性、広告宣伝効果を得ることができる。
【００１７】
別の一面からみた本発明は、ＰＯＰ広告用電駆看板の支持フレームとして把握することもできる。すなわち、この支持フレームは、
表面に広告対象となる情報が描かれた所定展開形状のシートを折り曲げて箱状に形成してなるＰＯＰ広告用の看板本体をその内側から支持して当該看板本体に対して剛性を付与する樹脂成型品であって、
電源となる電池を保持する電池保持ブロックと、
広告動作を行うための電気部品を保持する広告用部品保持ブロックとを有し、
前記電池保持ブロックと前記広告用部品保持ブロックとは、着脱可能な結合機構を介して連結され、さらに
電池保持ブロックには、前記広告動作に関するオンオフや調整のための操作を行うための操作用電気部品が保持されている。
このような構成によれば、保持される広告用電気部品の異なる様々な種別の広告用部品保持ブロックを用意しておいて、それらの１つを選択して、電池保持ブロックと結合することにより、樹脂成形のための金型数は最小としつつも、様々な機能を有する支持フレームを完成することができ、一方、看板本体をそれぞれの支持フレームに合わせて設計することで、様々な種類のＰＯＰ広告用電駆看板を低コストに製作することが可能となる。
【００１８】
このとき、前記広告用部品保持ブロックは、前記看板本体に設けられる光放出用開口に臨みかつ通電により発光する面状発光体を有する発光部品保持ブロックであってもよい。
【００１９】
このような構成によれば、看板本体をその内側から面状に照明することができ、これにより、より高い広告効果を奏する支持フレームを提供することができる。
【００２０】
このとき、前記広告用部品保持ブロックが、光を用いた広告動作を行うための発光電気部品を保持する発光部品保持ブロックと、音を用いた広告動作を行うための発音電気部品を保持する発音部品保持ブロックとを有し、前記発光部品保持ブロックと前記発音部品保持ブロックとは、着脱可能な結合機構を介して連結されている、ものであってもよい。
【００２１】
このような構成によれば、保持される発光電気部品の異なる様々な種別の発光部品保持ブロックを用意しておいて、それらの１つを選択して、電池保持ブロックと結合することに加えて、樹脂成形のための金型数は最小としつつも、発音部品保持ブロックについては必要に応じて取捨選択することにより、より多様なＰＯＰ広告用電駆看板を容易に製作することが可能となる。
【００２２】
このとき、前記発光部品保持ブロックとして、前記看板本体の光放出用開口に臨みかつ通電により発光する面状発光体を有し、かつ前記面状発光体の前面側には、表面に広告対象となる情報が描かれた光透過性シートが対向保持されている第１の種類の発光部品保持ブロックと、前記看板本体の光放出用開口に臨みかつ通電により発光する１又は２以上の点状発光体を有する第２の種類の発光部品保持ブロックとが、選択可能に用意されていれば、それらの発光部品保持ブロックの１つを選択するだけで、面状発光体タイプとＬＥＤランプ列タイプへの対応を容易に行うことができる。
【００２３】
加えて、前記操作用電気部品が、所望の電気的作用をなす本体部と前記本体部を電気的に作用せしめる棒状操作子とを有するパネル取付タイプの操作用電気部品であり、
前記看板本体は、正面視矩形かつ所定の奥行きを有する箱状であって、その長手方向の一端面は開閉可能とされ、かつ他端面には前記棒状操作子を突出させるための操作子挿通孔が設けられており、
前記電池保持用ブロック、前記発光部品保持ブロック、及び発音部品保持ブロックを順に連結してなる支持フレーム組立体は、正面視矩形かつ所定の厚みを有し、かつ前記看板本体より一回りサイズの小さい相似形状を有し、さらに
前記電池保持用ブロックの前記発光部品保持ブロックと反対側の端部には、取付用パネルとして機能するパネル部と、前記パネル部と隣接して、前記本体部を収容するための凹部とが設けられ、前記パネル部には、前記棒状操作子を挿通するための切り込み溝付きの取付孔が設けられている、ものであってもよい。
【００２４】
このような構成によれば、電池保持ブロックのパネル部に操作用電気部品を取り付けたのち、発光部品保持ブロックの１つを選択すると共に、発音部品保持ブロックについては必要に応じて取捨選択し、それらを互いに結合して支持フレーム組立体を完成したのち、これを看板本体に装着するだけの作業で、所望の広告機能を有するＰＯＰ広告用電駆看板を容易に製作することができる。
【発明の効果】
【００２５】
本発明によれば、広告宣伝に関する機能を必要な範囲に確保した上で、低コストに製作することが可能なＰＯＰ広告用電駆看板を提供することができる。
【図面の簡単な説明】
【００２６】
【図１】図１は、ＰＯＰ広告用電駆看板の外観斜視図（第１の実施形態）である。
【図２】図２は、ＰＯＰ広告用電駆看板の分解斜視図（第１の実施形態）である。
【図３】図３は、看板本体の展開図（第１の実施形態）である。
【図４】図４は、支持フレームの離脱状態と結合状態を示す正面図（第１の実施形態）である。
【図５】図５は、支持フレームの離脱状態と結合状態を示す背面図（第１の実施形態）である。
【図６】図６は、支持フレームの分解斜視図（第１の実施形態）である。
【図７】図７は、電池保持ブロックに対する操作用電気部品の取付構造を示す分解斜視図（第１の実施形態）である。
【図８】図８は、ＰＯＰ広告用電駆看板の作用説明図（第１の実施形態）である。
【図９】図９は、ＰＯＰ広告用電駆看板の取付方法の説明図（第１の実施形態）である。
【図１０】図１０は、ＰＯＰ広告用電駆看板の外観斜視図（第２の実施形態）である。
【図１１】図１１は、看板本体の展開図（第２の実施形態）である。
【図１２】図１２は、ＰＯＰ広告用電駆看板の分解斜視図（第２の実施形態）である。
【図１３】図１３は、ＰＯＰ広告用電駆看板の作用説明図（第２の実施形態）である。
【図１４】図１４は、点状発光体列を有する発光部品保持ブロックと交換した例を示す説明図（第３の実施形態）である。
【図１５】図１５は、発音部品保持ブロックを省略して短縮化を図った礼を示す説明図（第４の実施形態）である。
【図１６】図１６は、ＰＯＰ広告用電駆看板の外観斜視図（第５の実施形態）である。
【図１７】図１７は、看板本体の展開図（第５の実施形態）である。
【図１８】図１８は、ＰＯＰ広告用電駆看板の分解斜視図（第５の実施形態）である。
【図１９】図１９は、光の透過の様子を示す説明図（第５の実施形態）である。
【図２０】図２０は、ＰＯＰ広告用電駆看板の外観斜視図（第６の実施形態）である。
【図２１】図２１は、ＰＯＰ広告用電駆看板の分解斜視図（第６の実施形態）である。
【発明を実施するための形態】
【００２７】
以下に、本発明に係るＰＯＰ広告用電駆看板の好適な実施の一形態を添付図面を参照しながら詳細に説明する。
【００２８】
＜１．第１の実施形態＞
＜１．１  ＰＯＰ広告用電駆看板の概要について＞
本発明に係るＰＯＰ広告用電駆看板の外観斜視図が図１に、ＰＯＰ広告用電駆看板の分解斜視図が図２に、看板本体の展開図が図３に、それぞれ示されている。それらの図から明らかなように、ＰＯＰ広告用電駆看板１は、表面に広告対象となる情報（例えば、文字や図形や写真等）４が印刷により描かれた所定展開形状のシート（図３参照）を折り曲げて箱状に形成してなるＰＯＰ広告用の看板本体２と、この看板本体２をその内側から支持して当該看板本体２に対して剛性を付与する樹脂製の支持フレーム３とから構成される。
【００２９】
＜１．２  看板本体について＞
看板本体の展開図が図３に示されている。看板本体２を構成するシート（例えば、紙製シート）は印刷適性を有するもので、その展開状態においては、図３に示されるように、山折り線（図中、一点鎖線で示す）を境として、正面領域２１、背面領域２２、上面領域２３、下面領域２４、右側面領域２５、及び左側面領域２６に区画されている。
【００３０】
正面領域２１には、広告対象となる情報４が印刷されると共に、発光電気部品である面状発光体（導光板の面状発光領域に相当）７からの光を外部に放出するための矩形の光放出用開口２１ａ、発音電気部品であるスピーカ９からの音を外部に放出するための音放出用開口（放音口）２１ｂ、及び人感センサ（例えば、ＣｄＳ）１０の光導入口２１ｃが設けられている。
【００３１】
正面領域２１の右隣には、右側面領域２５及び蓋片２７が山折り線を介して連設されている。右側面領域２５には、操作用電気部品である音量調整用ボリューム６の棒状操作子（詳細は後述）６３を外部へ突出させるための挿通孔２５ａと電源スイッチであるスライド式スイッチ５のスライド操作子（詳細は後述）５２を外部へと突出させるための挿通孔２５ｂとが設けられている。
【００３２】
蓋片２７は、背面領域２２に設けられる電池着脱用開口２２ａを開閉するための蓋板として機能するものであり、その基部には開閉動作を容易とするために谷折り線（図中、波線で示す）が設けられると共に、その先端部には弧状の切り込み線２７ａによって、係止舌片２７ｂが形成されている。この係止舌片２７ｂを、背面領域２２のスリット２２ｂに差し込むことで、蓋片２７は、閉じた状態に固定される。
【００３３】
正面領域２１の左隣には、左側面領域２６及び差し込み片２８が山折り線を介して連設されている。左側面領域２６は、支持フレーム３を看板本体２内へと挿入又は取り出すための開口を塞ぐ蓋体として機能するものであり、差し込み片２８は蓋体を閉じた状態に固定するために使用される。
【００３４】
展開状態にあるシートを、山折り線のそれぞれに沿って折り曲げ、図中ハッチングにて示される糊代帯２２ｃに接着剤を塗布又は両面テープを貼付して、重ねて押圧することにより、図２に示されるように、正面視が横長長方形であって、かつ所定の奥行き（厚み）を有する看板本体２が完成する。
【００３５】
＜１．３  支持フレームの結合機構について＞
支持フレームの離脱状態と結合状態とを示す正面図が図４に、同背面図が図５に、及び支持フレームの分解斜視図が図７にそれぞれ示されている。支持フレーム３は、この例にあっては、電池を保持する電池保持ブロック３１と、発光電気部品を保持する発光部品保持ブロック３２と、発音電気部品を保持する発音部品保持ブロック３３とを、直列に連結してなるブロック集成体として構成されている。これら３個のブロック３１、３２、３３は、図６に示されるように、脱着可能な結合機構を介して互いに連結されている。より具体的には、電池保持ブロック３１と発光部品保持ブロック３２とは、電池保持ブロック３１側のスリット３１ｂに発光部品保持ブロック３２側の突片３２ｂを差し込むことで連結される。また、発音部品保持ブロック３３と発光部品保持ブロック３２とは、発光部品保持ブロック３２側の突片３２ａを発音部品保持ブロック３３側のスリット３３ａに挿入することで連結される。
【００３６】
＜１．４  電池保持ブロックについて＞
電池保持ブロック３１は、矩形の外形を有する樹脂成型品であって、その背面側には、図５に示されるように、互いに電気的に直列接続された３本の１．５Ｖ単三電池が物理的に逆並列状態で収容されている。電源電圧を４．５Ｖと高めにしているのは、視認効果の高い白／青・２色発光ＬＥＤの駆動のためである。
【００３７】
＜１．５  操作部品の取付構造について＞
電池保持ブロック３１の正面側にあって、発光部品ブロック３２と反対側の端部には、図４に示されるように、所望の電気作用（この例では、電気的開閉作用）をなす本体部５１とこの本体部５１を電気的に作用せしめるスライド操作子５２とを有するスライドスイッチ５と、所望の電気的作用（この例では、可変抵抗作用）をなす本体部６１とこの本体部６１を電気的に作用せしめる棒状操作子（ねじ部６２及び回転つまみ部６３）とを有するパネル取付タイプの操作用電気部品である音量調整用の可変抵抗器（通称、ボリューム）６とが、凹部３１ａと外壁パネル３１ｃとを利用して取り付けられている。
【００３８】
電池保持ブロックに対する操作用電気部品の取付構造を示す分解斜視図が、図７に拡大して示されている。同図に示されるように、矩形外形を有する電池保持ブロック３１の一端には、外壁として機能するパネル部３１ｃが形成されると共に、このパネル部３１ｃと電池収容部３１ｅとの間には、凹部（空所）３１ａが設けられている。さらに、パネル部３１ｃには、切り込み溝付きの挿通孔３１ｄが形成されている。操作用電気部品であるボリューム６は、可変抵抗作用をなす円筒状本体部６１とこの本体部６１を電気的に作用せしめる棒状操作子（ねじ部６２及び回転つまみ部６３）とを有するパネル取付タイプの操作用電気部品である。そして、ナット６４を緩めた状態のまま、棒状操作子であるねじ部６２を切り込み溝付き挿通孔３１ｄに侵入させると、円筒状の本体部６１は凹部（空所）３１ａに収まるから、その状態において、ワッシャ６５を介してナット６４を締め付けることにより、ボリューム６は回転つまみ部６３を外部に突出する状態で、電池保持ブロック３１の一端部にしっかりと固定される。
【００３９】
＜１．６  発光部品保持ブロックについて＞
発光部品保持ブロック３２には、矩形の外形を有する樹脂成型品であって、発光部品として機能する導光板が組み込まれている。当業者にはよく知られているように、導光板とは、端面（エッジまたはコグチ）から光を入射すると面と垂直な方向へと光を均一に出射する機能を持つよう、加工を施されているプラスチック板（例えば、アクリル板）である。この例にあっては、図示を省略するが、導光板の端面には多数のＬＥＤランプが埋め込まれ、これらのＬＥＤランプから出射された光は、発光部品保持ブロック３２の正面に設けられた面状発光体７から均一に出射するように仕組まれている。面状発光体７の前面側には、透明なプラスチックシートをＵ字状（正確には、Ｊ字状）に二つ折り加工してなる透明なポケット８が面状発光体７と対向して接着固定されている。このポケット８には、後述する光透過性シート１２ａ〜１２ｃ（図８参照）が上下にスライドさせながら、脱着可能とされている（図８参照）。
【００４０】
発光部品保持ブロック３２の背面側には、図５に示されるように、各種の電気部品を搭載した回路基板１１が保持されている。各種の電気部品としては、例えば、電池からの電圧を安定化する電圧レギュレータ素子、レギュレータ素子により安定化された電源が給電されて作動する１チップマイコン素子、面状発光体７を構成する導光板に組み込まれたＬＥＤランプ列を駆動するためのドライブ素子、スピーカ９を駆動するためのドライブ素子、等々を挙げることができる。このとき、１チップマイコンのプログラムメモリ（フラッシュメモリ）には、所定のコンピュータプログラムが格納されている。このコンピュータプログラムとしては、例えば、人感センサ１０を介して電駆看板１の前に人（買い物客）の存在が検知されたとき、一体時間（Ｔ秒）に限り、面状発光体７を発光させて、光透過性シート１２を裏から照明すると共に、スピーカ９からは、所定の広告宣伝サウンドを流すと言った機能を実現するためのものである。なお、広告宣伝サウンドは、１チップマイコンに組み込まれたサウンドメモリのサウンドデータを適宜に読み出して、これをＤ／Ａ変換器にてアナログ信号に変換することで、生成することができる。このとき、スピーカ９の音量は、音量調整用ボリューム６により調整可能とされている。
【００４１】
＜１．７  発音部品保持ブロックについて＞
発音部品保持ブロック３３は、矩形の外形を有する樹脂成型品であって、その背面側には、図５に示されるように、発音部品として機能する円形スピーカ９及びＣｄＳにて構成された人感センサ１０が保持されている。スピーカ９は、広告宣伝サウンドを流すためのものであり、人感センサ１０は電駆看板１の前に人（買い物客）が存在することを検知するためのものである。
【００４２】
＜１．８  ブロック間の配線について＞
電池保持ブロック３１、発光部品保持ブロック３２、及び発音部品保持ブロック３３を連結してなるブロック集成体を電気的に正常に作動させるためには、１）電池保持ブロック３１からスライドスイッチ６を介して得られる直流４．５Ｖを回路基板１１に給電すること、２）人感センサ１０から得られる検知信号を回路基板１１に送出すること、３）回路基板１１から得られる導光板駆動用の出力信号を導光板内蔵のＬＥＤランプに送出すること、及び４）回路基板１１から得られるスピーカ駆動用の出力信号をスピーカ９へと送出することを、ブロック間の着脱容易性を阻害することなく実現せねばならない。
【００４３】
そこで、この発明にあっては、電線（例えば、ビニール絶縁電線）とコネクタを使用することにより、以上の要請を満足するようにしている。図示は省略するが、電池保持ブロック３１から回路基板１１への給電については、適当な長さの給電用電線を用意すると共に、その一端については電池保持ブロック３１の送電端に半田付けにて固定する一方、他端についてはコネクタを取り付け、それを回路基板１１に設けられたコネクタ片、又は回路基板１１が搭載された発光部品ブロック３２に設けられたコネクタ片に接続するようにしている。また、人感センサ１０から回路基板１１への信号送出については、適当な長さの信号送出用電線を用意すると共に、その一端については、人感センサ側に固定する一方、他端についてはコネクタを取り付け、それを回路基板１１に設けられたコネクタ片、又は回路基板１１が搭載された発光部品ブロック３２に設けられたコネクタ片に接続するようにしている。また、回路基板１１から導光板内蔵のＬＥＤランプへの信号送出については、適当な長さの信号送出用電線を用意すると共に、その一端については、導光板内蔵のＬＥＤランプ側に固定する一方、他端についてはコネクタを取り付け、それを回路基板１１に設けられたコネクタ片、又は回路基板１１が搭載された発光部品ブロック３２に設けられたコネクタ片に接続するようにしている。さらに、回路基板１１からスピーカ９への信号送出については、適当な長さの信号送出用電線を用意すると共に、その一端については、スピーカ側に固定する一方、他端についてはコネクタを取り付け、それを回路基板１１に設けられたコネクタ片、又は回路基板１１が搭載された発光部品ブロック３２に設けられたコネクタ片に接続するようにしている。
【００４４】
＜１．９  ＰＯＰ用電駆看板の作用について＞
ＰＯＰ広告用電駆看板の作用説明図が図８に示されている。今仮に、あるビールメーカが製法（ＸＹＺ製法）に特徴のある３種類のビール（Ａビール、スーパーＡビール、Ｂビール）を１種類毎に時期を異ならせて、視覚及び聴覚に働きかけることにより、集中的に広告宣伝する場合を想定する。
【００４５】
先ず、３種類のビールについて共通な広告宣伝情報を決定すると共に、そのような情報４が表面に描かれた紙製シートを印刷技術を使用して大量に作成したのち、所定の展開形状に裁断することで、印刷済みシートを製作する（図３参照）。しかるのち、これを所定の折り線に沿って折り曲げ接着することで、看板本体２が完成する（図２参照）。
【００４６】
続いて、３種類のビール（Ａビール、スーパーＡビール、Ｂビール）のそれぞれに関する広告情報が描かれた３種類の光透過性シート（１２ａ，１２ｂ，１２ｃ）を例えば印刷技術を利用して用意する（図８参照）。
【００４７】
続いて、予め必要な電気部品が保持された電池保持ブロック３１、発光部品保持ブロック３２、及び発音部品保持ブロック３３を選択すると共に、それらを所定の結合機構（突片３２ａ，３２ｂとスリット３１ｂ，３３ａ）を介して連結し、必要なコネクタ接続により電気配線を行うことで、ブロック集成体である支持フレーム３を完成する（図２、図４〜図７参照）。
【００４８】
続いて、支持フレーム３の電池保持ブロック３１に１．５Ｖ単三電池を３本セットしたのち、これを看板本体２に装着し、さらに、透明ポケット８に光透過性シート１２ａ〜１２ｃの１つ（例えば、スーパーＡビールを広告する光透過性シート１２ｂ）をスライド装着することで、ＰＯＰ広告用電駆看板１が作動可能な状態に完成する（図１、図２、図８参照）。
【００４９】
こうして準備されたＰＯＰ広告用電駆看板１を、図９に示されるように、例えば、スーパーマーケットやコンビニエンスストア等の缶ビールの陳列棚（特に、スーパーＡビール用）の前縁に、所定の取付具１５を介して取り付け、電源スイッチを構成するスライド操作子５２をオンすることで、スーパーＡビールに関する広告宣伝の準備が完了する。なお、図示の取付具１５は、短冊状アルミ片を逆Ｕ字状に折り曲げ、両面テープを介して、看板本体２の裏面及び棚板前面へと接着するものである。
【００５０】
この状態において、ＰＯＰ広告用電駆看板１の前を人（買い物客）が通過しようとすると、人感センサ１０がこれを検知して所定の広告宣伝動作を起動することにより、導光板内蔵のＬＥＤランプ列が駆動されて、面状発光体７が所定の態様（連続点灯、断続点灯、色変わり点灯、等々）にて駆動され、透明なポケット８に装着された光透過性シート１２ｂ（スーパーＡビールに対応）は面状発光体７からの光により、その背後から照明される。同時に、スピーカ９からは、スーパーＡビールに関する広告宣伝のためのサウンドが発生し、音放出口２１ｂから外部へと流れ出す。このような広告宣伝により、顧客の足を止めて、広告宣伝サウンドと看板本体２に描かれた情報と光透過性シート１２ｂに描かれた情報とが相まって、顧客の購買意欲をかきたたせることができるのである。
【００５１】
なお、電駆看板１の右側面（通常、広告宣伝には供せられない）には、音量調整用ボリューム６の調整用摘み部６３が突出するから、この摘み部６３を適宜に回転操作することにより、スピーカ９から流れ出す広告宣伝サウンドの音量を任意に調整することが可能となる。特に、本発明にあっては、音量調整用ボリューム６は、その摘み部６３を外部に突出させつつも、その固定は、看板本体２を構成するシート材ではなくて、その内部に装着された電池保持ブロック３１のパネル部３１ｃによるナット締め固定であるから、繰り返しの回転操作が摘み部６３に加えられたとしても、取付状態は安定に維持され、緩みや撓みが生ずることはない。
【００５２】
＜２．第２の実施形態＞
第２の実施形態に係るＰＯＰ広告用電駆看板の外観斜視図が図１０に、看板本体の展開図が図１１に、ＰＯＰ広告用電駆看板の作用説明図が図１３に、それぞれ示されている。それらの図からも明らかなように、この実施形態にあっては、電駆看板１Ａの正面のみならず、その左右斜め前方からでも、光透過性シートが見易くなるように、光透過性シートの視認性向上のための工夫がなされている。
【００５３】
すなわち、先ず、第１の実施形態からの看板本体２Ａ側の変更点としては、図１１の展開図に示されるように、光放出用の矩形開口２１ａの上下の縁部には、図中破線ハッチングで示す上下の弧状折り起し片２１ｄ，２１ｅが設けられている。これらの折り起し片２１ｄ，２１ｅは、後述するように、湾曲透明基台１４を看板本体２Ａに固定するために使用される。発光部品保持ブロック３２の面状発光体７の前面側には、図１２及び図１３に示されるように、その湾曲正面部１４ａが看板本体２Ａの光放出用開口２１ａから前方へと突出するようにして、透明樹脂を用いてバキューム成型してなる湾曲透明基台１４が対向して配置されている。この湾曲透明基台１４は、図１２に示されるように、湾曲正面部１４ａと平坦上面部１４ｂと平坦下面部１４ｃとフランジ部１４ｄとを有し、そのフランジ部１４ｄが光放出用開口２１ａの内周縁部の裏側に当接し前方へ突出された状態において、看板本体２側の上下の折り起こし片２１ｅ，２１ｆと湾曲透明基台１４側の上下の平坦部１４ｃ，１４ｄとを、例えば両面テープ２１ｆ、２１ｇ等を用いて接着することで、看板本体２に固定されている。
【００５４】
湾曲取付用の光透過性シート１３は、湾曲透明基台１４の湾曲正面部１４ａの弧に沿った長さに対応する横方向長さと、同湾曲正面部１４ａの上下方向幅よりも大きい上下方向幅を有し、その左右の端縁からは、差込舌片１３ａ，１３ｂが延出されている。この光透過性シート１３は、図１３に示されるように、湾曲正面部１４ａの曲面に沿うように湾曲させた状態において、同図に矢印で示されるように、その左右の差込舌片１３ａ，１３ｂを看板本体２の正面シートと湾曲透明基台１４の左右のフランジ部１４ｄとの隙間に差し込むことにより、面状発光体７の前方に湾曲状態で固定される。
【００５５】
このような構成によれば、図１０に示されるように、広告情報が描かれた光透過性シート１３は、湾曲状に突出する状態で看板本体２Ａの前面に固定されるものであるから、その広告情報は、看板本体２Ａの正面のみならず、左右の斜め前方からでも視認することができ、その結果、人感センサ１０が作動するに先立って、早期に、買い物客の注意を惹き付けることにより、より一層効果的な広告宣伝効果を得ることが期待される。
【００５６】
＜３．第３の実施形態＞
点状発光体列を有する発光部品保持ブロックと交換した例を示す説明図が図１４に示されている。この例にあっては、発光部品保持ブロックとして、面状発光体７を有する発光部品保持ブロック３２の代わりに、左右の点状発光体列１６ａ，１６ｂを有する新規な発光部品保持ブロック３２Ａが採用されている。それらの点状発光体列を構成する個々の点状発光体は、いずれも、ＬＥＤランプにて構成されており、図示しない回路基板に組み込まれた１チップマイコンにより、所定の点滅パターンにて駆動されるように構成されている。なお、両ブロックの樹脂成型品としての外形は同一であって、共通の金型にて製造することができる。
【００５７】
一方、看板本体２Ｂの側には、左右の点状発光体列１６ａ，１６ｂの配列に対応して、上下方向へと細長い光放出用の開口２１ｈ，２１ｉが設けられており、左右の点状発光体列１６ａ，１６ｂから発せられる光は、それらの開口２１ｈ，２１ｉから外部へと放出されることとなる。
【００５８】
このような構成によれば、看板本体２Ｂの表面全体を使用して広告情報４を描きつつも、左右の点状発光体列１６ａ，１６ｂからの発光により、買い物客の注意を視覚を介して惹き付けることができる。しかも、２つの発光体保持ブロック３２，３２Ａは共通の金型を使用して製作することができるため、格別にコストアップを来すこともない。
【００５９】
＜４．第４の実施形態＞
発音部品保持ブロックを省略して短縮化を図った例を示す説明図が図１５に示されている。この例にあっては、売り場スペースとの関係等により、左右方向の長さの短縮化が要請される場合、発音部品保持ブロック３３を除去すると共に、その分だけ左右方向の長さが短い看板本体２Ｃを用意することで、短めのＰＯＰ広告用電駆看板とするものである。このように、本発明に係る支持フレーム３は、電池保持ブロック３１と発光部品保持ブロック３２と発音部品保持ブロック３３とからなると共に、それらは互いに結合・離脱が可能であるから、何種類かの発光部品保持ブロックを用意しておいて、必要によりそのうちの１つを選択したり（図１４参照）、あるいは、発音部品保持ブロック３３を取り外して、短めの看板としたり（図１５参照）することもでき、様々な仕様を有するＰＯＰ広告用電駆看板を低コストに製作できる。
【００６０】
＜５．第５の実施形態＞
第５の実施形態に係るＰＯＰ広告用電駆看板１Ｄの外観斜視図が図１６に、看板本体２Ｄの展開図が図１７に、ＰＯＰ広告用電駆看板１Ｄの分解斜視図が図１８に、それぞれ示されている。それらの図からも明らかなように、本実施形態にあっては、第２の実施形態と同様に、電駆看板１Ｄの正面のみならずその左右斜め前方からでも光透過性シート１６が見易くなるような視認性向上のための工夫がなされている。第２の実施形態との相違は、光透過性シート１６の背面側の矩形開口２１ｊが、２つの面状発行体７の前面にまたがつて延在するよう横長に構成されていることである。
【００６１】
図１７の展開図に示されるように、光放出用の矩形開口２１ｊの上下の縁部には、図中破線ハッチングで示す上下の弧状折り起し片２１ｋ，２１ｌが設けられている。これらの折り起し片２１ｋ，２１ｌは、後述するように、湾曲透明基台１７を看板本体２Ｄに固定するために使用される。
【００６２】
発光部品保持ブロック３２の面状発光体７の前面側には、図１８に示されるように、支持フレーム３Ｂの前面側を看板本体の内部に固定する調整板１００を介して、その湾曲正面部１７ａが看板本体２Ｄの光放出用開口２１ｊから前方へと突出するようにして、透明樹脂を用いてバキューム成型してなる湾曲透明基台１７が対向して配置されている。この湾曲透明基台１７は、図１８に示されるように、湾曲正面部１７ａと平坦上面部１７ｂと平坦下面部１７ｃとフランジ部１７ｄとを有し、そのフランジ部１７ｄが光放出用開口２１ｊの内周縁部の裏側に当接し前方へ突出された状態において、看板本体２Ｄ側の上下の折り起こし片２１ｋ，２１ｌと湾曲透明基台１７側の上下の平坦部１７ｃ，１７ｄとを、例えば両面テープ２１ｍ、２１ｎ等を用いて接着することで、看板本体２Ｄに固定されている。
【００６３】
湾曲取付用の光透過性シート１６は、湾曲透明基台１７の湾曲正面部１７ａの弧に沿った長さに対応する横方向長さと、同湾曲正面部１７ａの上下方向幅よりも大きい上下方向幅を有し、その左右の端縁からは、差込舌片１６ａ、１６ｂが延出されている。この光透過性シート１６は、図１８に示されるように、湾曲正面部１７ａの曲面に沿うように湾曲させた状態において、その左右の差込舌片１６ａ，１６ｂを看板本体２Ｄの正面シートと湾曲透明基台１７の左右のフランジ部１７ｄとの隙間に差し込むことにより、面状発光体７の前方に湾曲状態で固定される。
【００６４】
図１９は、ＰＯＰ広告用電駆看板１Ｄの平断面図であり、発光部品保持ブロック３２の面状発光体７から放出された光が、光透過性シート１６を透過していく様子について示した説明図である。同図から明らかな通り、発光部品保持ブロック３２は、隣り合う発光部品保持ブロック３２とその突片３２ｂの側面同士を接着することにより連結されており、それにより、面状発光体７同士の間には連結部分に相当し非発光部となる所定の物理的間隔が存在する。しかしながら、既に述べた通り、湾曲透明基台１７の湾曲正面部１７ａは前方へ突出しており、結合部分において光透過性シート１６と面状発光体７とは最大離間距離を有している。
【００６５】
このような構成によれば、面状発光体７同士の間に連結部等に起因する物理的な間隔が存在する場合であっても、その連結部の前方付近においては各発光体７から放射状に放出された光が足し合わされるので、光透過性シートをムラなく照明することができる。これにより、より高い視認性、広告宣伝効果を得ることができる。
【００６６】
また、このような構成によれば、広告情報が描かれた光透過性シート１６は、より幅広い湾曲状に突出する状態で看板本体２Ｄの前面に固定されるものであるから、その広告情報は、看板本体２Ｄの正面のみならず、左右の斜め前方からでも視認することができ、その結果、人感センサ１０が作動するに先立って、早期に、買い物客の注意を惹き付けることにより、より一層効果的な広告宣伝効果を得ることが期待される。
【００６７】
以上の実施形態によれば、ＰＯＰ広告用の看板本体２は、表面に広告対象となる情報４が描かれた所定展開形状のシート（例えば、紙製シート）を折り曲げて箱状に形成してなるものであるから、印刷技術を使用して大量生産することで、低コストに製作することができると共に、その内側から樹脂製の支持フレーム２で支持することで剛性が付与されることから、看板本体３の素材には印刷適正に優れた薄手のシート材を使用することができる。また、広告宣伝機能を発揮する発光電気部品（例えば、ＬＥＤ光源と導光板使用の面状発光体やＬＥＤ使用のランプ等々）及び発音部品（例えば、スピーカ等）は支持フレーム側に予め保持されていることから、看板本体２の内部に支持フレーム３を装着するだけで直ちに作動が可能となる。さらに、広告動作に関するオンオフや調整のための操作を行うための操作用電気部品（例えば、スイッチや可変抵抗器等々）６についても、比較的に強度の低い看板本体側ではなくて、剛性の高い支持フレーム側に保持されると共に、その操作子は看板本体の外部に露出するものであるから、看板本体内部に存在する操作用電気部品を看板本体の外部から確実に操作することできる。
【００６８】
＜６．第６の実施形態＞
第６の実施形態に係るＰＯＰ広告用電駆看板１Ｅの外観斜視図が図２０に、ＰＯＰ広告用電駆看板１Ｅの分解斜視図が図２１に、それぞれ示されている。それらの図からも明らかなように、本実施形態にあっては、ＰＯＰ広告用電駆看板１Ｅは、上述の実施形態と同様に、発光体７を備えた発光部品保持ブロック３２を内部に備え、透過性シート１８は背後から照明されている。しかしながら、上述の実施形態とは、ＰＯＰ広告用電駆看板１Ｅが縦置きされると共に、発音部品保持ブロック３３が備えられていない点において相違する。
【００６９】
図２０は、ＰＯＰ広告用電駆看板１Ｅの外観斜視図である。同図から明らかな通り、正面領域２１には、光透過性シート１８が、広告対象となる直方体形状を有する箱体商品（本実施形態においては、煙草の箱）の半分ほどが斜めに正面側に浮き出たような態様に見えるよう保持されている。すなわち、電駆看板１Ｅはその正面のみならずその左右斜め前方からでも光透過性シート１８が見易くなるような視認性向上のための工夫がなされている。
【００７０】
また、ＰＯＰ広告用電駆看板１Ｅの上面領域２３には、ＣｄＳ等の人感センサ１０と発光体７等の電源のオンオフを行うスライド操作子５２が設けられており、人の存在を検出した場合にのみ光を放つ等の広告動作が可能なように構成されている。
【００７１】
図２１は、ＰＯＰ広告用電駆看板１Ｅの分解斜視図である。ＰＯＰ広告用電駆看板１Ｅは、看板本体２Ｅの内部に支持フレーム３Ｅを挿入して看板本体２Ｅを内部から支持すると共に、正面領域２１に設けられた矩形開口２１ｏの前面に光透過性シート１８を配置して成るものである。
【００７２】
図２１から明らかな通り、看板本体２Ｅは、箱体であり、人感センサ用孔２３ｃとスライド操作子用孔２３ｄとを有する上面領域２３と、同図において開放された状態で描かれている下面領域２４と、矩形開口２１ｏを有する正面領域２１と、左側面領域２６と、右側面領域２５と、背面領域２２とを有している。矩形開口２１ｏの上下の縁部には、前方へと突出し光透過性シート１８と接着又は固定される上縁部結合片２１ｐと下縁部結合片２１ｑとが設けられている。
【００７３】
図２１から明らかな通り、光透過性シート１８は、箱体商品の正面領域にあたり広告情報が描かれた長方形形状の正面領域１８ａと、正面領域１８ａの一方の長辺と折り目を介して連結され所定の広告情報が描かれた細長い長方形形状の側面領域１８ｂと、正面領域１８ａの他方の長辺と折り目を介して連結され後述の矩形開口２１ｏの周囲の内面側へと当接される差込舌片１８ｃと、側面領域１８ｂの他方の長辺と折り目を介して連結され後述の矩形開口２１ｏの周囲の内面側へと当接される差込舌片１８ｄとから構成されている。差込舌片１８ｃ及び差込舌片１８ｄを、矩形開口２１ｏの左右の縁部に差し込んで背面側に当接させ、側面領域１８ｂの背面側を上縁部結合片２１ｐと接着することで、光透過性シート１８を、看板本体２Ｅへと固定することができる。これにより、組立時において、矩形開口２１ｏから放出された発光体７からの光が光透過性シートを背後から照明することとなる。
【００７４】
なお、本構成によれば、光透過性シート１８は適宜交換することが可能である（例えば、光透過性シート１８Ａ、光透過性シート１８Ｂ）。従って、看板本体２Ｅは使いまわしつつも、季節や商品シリーズ等の変化に応じて、広告する商品を適宜変更することが可能となる。
【００７５】
また、図２１から明らかな通り、支持フレーム３Ｅは、正面側に発光体７を備えた発光部品保持ブロック３２と、発光部品保持ブロックの背面側に固定され発光動作の電源となる電池を保持する電池保持ブロック３１とから構成されており、看板本体２Ｅは、これらの剛性の高い部品により内部から支持されている。
【００７６】
以上の構成によれば、ＰＯＰ広告用の看板本体２Ｅは、表面に広告対象となる情報が描かれた展開形状のシート（例えば、紙製シート）を折り曲げて箱状に形成してなるものであるから、印刷技術を使用して大量生産することで、低コストに製作することができると共に、その内側から樹脂製の支持フレーム２で支持することで剛性が付与されることから、看板本体３の素材には印刷適正に優れた薄手のシート材を使用することができる。また、広告宣伝機能を発揮する発光電気部品（例えば、ＬＥＤ光源と導光板使用の面状発光体やＬＥＤ使用のランプ等々）は支持フレーム３Ｅ側に予め保持されていることから、看板本体２Ｅの内部に支持フレーム３Ｅを装着するだけで直ちに作動が可能となる。さらに、広告動作に関するオンオフや調整のための操作を行うためのスライド操作子５２等の操作用電気部品（例えば、スイッチや可変抵抗器等々）についても、比較的に強度の低い看板本体側ではなくて、剛性の高い支持フレーム側に保持されると共に、その操作子は看板本体の外部に露出するものであるから、看板本体内部に存在する操作用電気部品を看板本体の外部から確実に操作することできる。
【産業上の利用可能性】
【００７７】
本発明によれば、広告宣伝に関する機能を必要な範囲に確保して、低コストに製作することが可能なＰＯＰ広告用電駆看板を提供することができる。
【符号の説明】
【００７８】
１      ＰＯＰ広告用電駆看板
１Ａ    ＰＯＰ広告用電駆看板（湾曲シート対応）
１Ｄ    ＰＯＰ広告用電駆看板（第５の実施形態）
１Ｅ    ＰＯＰ広告用電駆看板（第６の実施形態）
２      看板本体
２Ａ    看板本体（湾曲シート対応）
２Ｂ    看板本体（点状発光体列対応）
２Ｃ    看板本体（短縮化対応）
２Ｄ    看板本体（第５の実施形態）
２Ｅ    看板本体（第６の実施形態）
３      支持フレーム
３Ｂ    支持フレーム（第５の実施形態）
３Ｅ    支持フレーム（第６の実施形態）
４      情報
５      スライドスイッチ
６      音量調整用ボリューム
７      面状発光体
８      ポケット
９      スピーカ
１０      人感センサ
１１      回路基板
１２ａ    光透過性シート
１２ｂ    光透過性シート
１２ｃ    光透過性シート
１３      光透過性シート（湾曲用）
１３ａ    差込舌片
１３ｂ    差込舌片
１４      湾曲透明基台
１４ａ    湾曲正面部
１４ｂ    平坦上面部
１４ｃ    平坦下面部
１４ｄ    フランジ部
１５      取付具
１６      光透過性シート
１６ａ    差込舌片
１６ｂ    差込舌片
１７      湾曲透明基台
１７ａ    湾曲正面部
１７ｂ    平坦上面部
１７ｃ    平坦下面部
１７ｄ    フランジ部
１８      光透過性シート
１８Ａ    光透過性シート
１８Ｂ    光透過性シート
１８ａ    正面領域
１８ｂ    側面領域
１８ｃ    差込舌片
１８ｄ    差込舌片
２１      正面領域
２１ａ    光放出用開口
２１ｂ    音放出用開口
２１ｃ    光導入用開口
２１ｄ    折り起し片
２１ｅ    折り起し片
２１ｆ    両面テープ
２１ｇ    両面テープ
２１ｈ    光放出用開口
２１ｉ    光放出用開口
２１ｊ    矩形開口
２１ｋ    弧状折り起し片
２１ｌ    弧状折り起し片
２１ｍ    両面テープ
２１ｎ    両面テープ
２１ｏ    矩形開口
２１ｐ    上縁部結合片
２１ｑ    下縁部結合片
２２      背面領域
２２ａ    電池着脱用開口
２２ｂ    スリット
２３      上面領域
２３ａ    差込片
２３ｂ    差込片
２４      下面領域
２４ａ    差込片
２４ｂ    差込片
２５      右側面領域
２５ａ    操作子挿通孔
２５ｂ    操作子挿通孔
２６      左側面領域
２７      蓋片
２７ａ    切り込み線
２７ｂ    係止舌片
２８      差込片
３１      電池保持ブロック
３１ａ    凹部
３１ｂ    スリット
３１ｃ    パネル部
３１ｄ    切り込み溝付き挿通口
３１ｅ    電池収容部
３２      発光部品保持ブロック（面状発光体）
３２Ａ    発光部品保持ブロック（点状発光体）
３３      発音部品保持ブロック
５１      本体部
５２      スライド操作子
６１      本体部
６２      ねじ部
６３      摘み部
６４      ナット
【図１】
2017194683.tif 000003
【図２】
2017194683.tif 000004
【図３】
2017194683.tif 000005
【図４】
2017194683.tif 000006
【図５】
2017194683.tif 000007
【図６】
2017194683.tif 000008
【図７】
2017194683.tif 000009
【図８】
2017194683.tif 000010
【図９】
2017194683.tif 000011
【図１０】
2017194683.tif 000012
【図１１】
2017194683.tif 000013
【図１２】
2017194683.tif 000014
【図１３】
2017194683.tif 000015
【図１４】
2017194683.tif 000016
【図１５】
2017194683.tif 000017
【図１６】
2017194683.tif 000018
【図１７】
2017194683.tif 000019
【図１８】
2017194683.tif 000020
【図１９】
2017194683.tif 000021
【図２０】
2017194683.tif 000022
【図２１】
2017194683.tif 000023